(57)【要約】【課題】身体に掛けて使用した時、身体に触れている部分の羽毛がずれることがなく、かつ空気の含みも増しボリーム感及び保温性に優れた羽毛ふとんを提供すること。【解決手段】縦方向のマチテープ１〜４を衿から胸の方向に斜めに高くし、胸から足の方向に斜めに低くする。また横方向のマチテープ６〜２０を側生地の中央より外方向に斜めに低くカットし身体の体型に合わせ、縦のマチテープ１〜４と横のマチテープ６〜２０交差箇所２１〜３２を縫うことにより羽毛の移動を防ぐようにした。【選択図】  図１
2006006867.tif 000002
【特許請求の範囲】
【請求項１】
側生地の衿から胸の方向に斜めにマチテープを高くし、胸から足の方向に斜めに低くした表側生地の縦方向のマチテープと、側生地の中央より外方向に斜めに低くした表側生地の横方向のマチテープと、同一の高さの裏側生地の縦方向及び横方向のマチテープを縫い合わせ、表側生地と裏側生地のマチテープで区画を作り羽毛を充填し身体にフイット性をもたせるようにしたことを特徴とする羽毛ふとん。
【請求項２】
側生地の衿から胸の方向に斜めにマチテープを高くし、胸から足の方向に斜めに低くした裏側生地の縦方向のマチテープと、側生地の中央より外方向に斜めに低くした裏側生地の横方向のマチテープと、同一の高さの表側生地の縦方向及び横方向のマチテープを縫い合わせ、表側生地と裏側生地のマチテープで区画を作り羽毛を充填し身体にフイット性をもたせるようにしたことを特徴とする羽毛ふとん。
【請求項３】
斜めにカットした縦方向のマチテープが、同じく斜めにカットした横方向のマチテープと交差した箇所を、縦方向のマチテープに横方向のマチテープを縫い付けることを特徴とする請求項１又は、請求項２に記載の羽毛ふとん。
【請求項４】
中生地の裏の面と裏側生地を、同一の高さの縦方向及び横方向のマチテープで縫い合わせ、中生地の表の面と表側生地を斜めにカットした縦方向及び横方向のマチテープを縫い付けることを特徴とする請求項３に記載の羽毛ふとん。
【発明の詳細な説明】
【技術分野】
【０００１】  本発明は、側生地に羽毛を充填する時の羽毛ふとんの区画構造に関するものである。
【背景技術】
【０００２】  従来の羽毛ふとんは、表側生地と裏側生地を一定の高さの縦方向のマチテープと横方向のマチテープで縫い合わせて、交差した箇所の縦方向か横方向の片方をカットし羽毛の投入口としている。
【発明の開示】
【発明が解決しようとする課題】
【０００３】  従来の羽毛ふとんの構造は、全区画のマチテープが一定の高さの為、人間の身体をおおう部分の区画の羽毛が片寄り空気の含みが少なくポリーム感に欠け保温性に欠けてしまう。【０００４】  この発明は、羽毛ふとんの区画構造を変えて、区画と区画の羽毛投入口から羽毛が移動しない構造の羽毛ふとんを提供することを目的とする。
【問題を解決するための手段】
【０００５】  上記目的を達成するため、請求項１の発明は、表側生地の衿から胸の方向に斜めに高くし胸から足の方向に斜めに低くカットした縦方向のマチテープと、表側生地の中央より外方向に斜めに低くカットした横方向のマチテープと、裏側生地の同一の高さのマチテープを縫い合わせて、人間の身体にあたる部分の区画の羽毛の片よりを防ぎ、より多く空気を含みポリーム感をもたせ保温性を確保できる羽毛ふとんとした。
【０００６】  請求項２の発明は、裏側生地の衿から胸の方向に斜めに高くし胸から足の方向に斜めに低くカットした縦方向のマチテープと、裏側生地の中央より外方向に斜めに低くカットした横方向のマチテープと、表側生地の同一の高さのマチテープを縫い合わせて、区画構造を作ったものである。
【０００７】  また、本請求項３の発明は、縦方向のマチテープか横方向のマチテープのどちらか片方をカットし縫い付ける羽毛ふとんである。
【０００８】  本請求項４の発明は、上記の構成によって作られた羽毛ふとんに表側生地と裏側生地の間に中生地を使用し表側生地と中生地の区画と中生地と裏側生地の区画が重なり合わない縫製を施した羽毛ふとんである。
【発明の効果】
【０００９】  上述したように本発明の羽毛ふとんは、斜めのマチテープを使用し立体空間の区画を形成し、人間の体型に合わせ、より多くの空気を含んだ羽毛が膨らむ力によりボリーム感を増し保温性を確保することができる。
【００１０】  また、羽毛の投入口を特別に縫製することにより区画と区画の羽毛の移動をなくすことができる。
【発明の実施するための最良の形態】
【００１１】  以下、本発明の実施の形態を図１〜図１３に基づいて説明する。
【００１２】  図１は、図２の羽毛ふとん３６におけるマチテープの交差箇所２１〜３２を示したものである。
【００１３】  上記交差箇所２１〜３２は、表側生地に縦マチテープ３３を縫い合せ目ｂに沿って縫い付け横マチテープ３４を縫い合せ目ａに沿って縫い付けたものとする。
【００１４】  裏側生地に縦マチテープ１〜４を縫い合せ目ｆに沿って縫い付け横マチテープ６〜２０縫い合わせ目ｅに縫い付け、２１〜３２の箇所は、横マチテープ６〜２０を縦マチテープ１〜４に縫い付けてしまうことで羽毛の区画間の移動を防ぐようにしたものである。
【００１５】  上記の表側生地に縫い付けたマチテープと裏側生地に縫い付けたマチテープを縫い合わせ目ｃと縫い合わせ目ｄに沿って縫い合わせる。その時、交差地点３５の投入口を羽毛が投入できるように開けておく。
【００１６】  図３は，表側生地に付ける縦方向マチテープの平面図、図４は、表側生地に付ける横方向マチテープの平面図、図５は、裏側生地に付ける縦方向のマチテープの平面図、図６は、同じく裏側生地に付ける縦方向のマチテープであってその高さを変えた平面図である。
【００１７】  図５、図６に示したマチテープは、衿から胸の方向に斜めに高くし、胸から足の方向に斜めに低くカットしたものである。
【００１８】  図７は、裏側生地に付ける横方向のマチテープの平面図である。図８、図９、図１０は、裏側生地に付ける横方向のマチテープ平面図であり、側生地の中央より外方向に斜めに低くカットしたマチテープ６〜２０を示している。
【００１９】  図３、図４に示した表側生地用マチテープと図５、図６、図７、図８、図９、図１０に示した裏側生地用マチテープとは、表側生地と裏側生地を縫い合わせるものである。
【００２０】  また、羽毛を充填した状態の断面を模式的に示した図を図１１、図１２、図１３に示す。これらの図では、斜めのマチテープを使用し立体空間の区画を形成し、人間の体型に合わせ、より多くの空気を含んだ羽毛が膨らむ力によりボリーム感を増し保温性を確保することができる。
【産業上の利用可能性】
【００２１】  縦方向及び横方向のマチテープの本数と斜めにカットする角度は、限定されるものでなく体型に合わせて変えることもできる。
【図面の簡単な説明】
【００２２】
【図１】縦のマチテープと横のマチテープの交差箇所の平面図である。
【図２】羽毛ふとん側生地の平面図である。
【図３】表側生地の縦マチテープの断面図である。
【図４】表側生地の横マチテープの断面図である。
【図５】裏側生地の縦マチテープの断面図である。
【図６】裏側生地の縦マチテープの断面図である。
【図７】裏側生地の横マチテープの断面図である。
【図８】裏側生地の横マチテープの断面図である。
【図９】裏側生地の横マチテープの断面図である。
【図１０】裏側生地の横マチテープの断面図である。
【図１１】羽毛を充填した状態の図２におけるＢ−Ｂ線に沿う断面図である。
【図１２】羽毛を充填した状態の図２におけるＡ−Ａ線に沿う断面図である。
【図１３】羽毛を充填した状態の中生地使用の図２におけるＢ−Ｂ線に沿う断面図である。
【符号の説明】
【００２３】１〜４      裏側生地用の縦のマチテープ
５          裏側生地用の横のマチテープ
６〜２０    裏側生地用の横のマチテープ
２１〜３２  縦と横のマチテープ交差箇所
３３        表側生地の縦マチテープ
３４        表側生地の横マチテープ
３５        投入口
３６        羽毛ふとん全体
３７        表側生地
３８        裏側生地
３９        中生地
ａ          表側生地と横マチテープの縫い合せ目
ｂ          表側生地と縦マチテープの縫い合せ目
ｃ          表側生地と裏側生地の横マチテープの縫い合せ目
ｄ          表側生地と裏側生地の縦マチテープの縫い合せ目
ｅ          裏側生地と横マチテープの縫い合せ目
ｆ          裏側生地と縦マチテープの縫い合せ目
【図１】
2006006867.tif 000003
【図２】
2006006867.tif 000004
【図３】
2006006867.tif 000005
【図４】
2006006867.tif 000006
【図５】
2006006867.tif 000007
【図６】
2006006867.tif 000008
【図７】
2006006867.tif 000009
【図８】
2006006867.tif 000010
【図９】
2006006867.tif 000011
【図１０】
2006006867.tif 000012
【図１１】
2006006867.tif 000013
【図１２】
2006006867.tif 000014
【図１３】
2006006867.tif 000015